(57)【特許請求の範囲】
【請求項１】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成を有した電動送風機。
【請求項２】
ファンケースと静翼端面との間に弾性体を介在させた請求項１記載の電動送風機。
【請求項３】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成を有し、通常、ファンケースと静翼端面が離れているように付勢バネを設けた電動送風機。
【請求項４】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、ファンケースと静翼端面の距離を可変できる構成を有した電動送風機。
【請求項５】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、通常、可動部とエアガイド端面が離れているように、可動部に付勢バネを設けた電動送風機。
【請求項６】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に設けた軸方向に可動な可動部と、可動部をどちらか一方に当接するよう可動部に設けた付勢バネと、可動部を磁力によって動かすため、ファンケースに設置された電磁石とを有し、可動部を電磁石によって動かす事により、ファンケース可動部と静翼端面の距離を可変できる構成を有した電動送風機。
【請求項７】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を軸方向に動かすことにより、隣接した独立ボリュート間のバイパス路を開閉できる電動送風機。
【請求項８】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を通常はエアガイドと離れているように、取り付けた付勢バネを有し、この可動部分を軸方向に動かすことにより、隣接した独立ボリュート間のバイパス路を開閉できる電動送風機。
【請求項９】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った可動部分と、ファンケースに固着し、可動部を被い一部が可動部に接合した可撓性のキャップとを有し、この可撓性キャップを動かすことにより可動部を軸方向に動かし、隣接した独立ボリュート間のバイパス路を開閉できる電動送風機。
【請求項１０】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な可動部分と、可動部分を通常、どちらか一方に当接するよう可動部に設けた付勢バネと、可動部を磁力によって動かすため、ファンケースに設置された電磁石とを有し、可動部を電磁石によって動かす事により、隣接した独立ボリュート間のバイパス路を開閉できる電動送風機。
【請求項１１】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、これら可動部分を連結する接合部とを有し、複数の可動部分を同時に軸方向に動かすことにより、隣接した独立ボリュート間のバイパス路を開閉できる電動送風機。
【請求項１２】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、この可動部分連結する接合部とを有し、これら複数の可動部分が同時に、通常はエアガイドと離れているように、可動部分に取り付けた付勢バネを有し、複数の可動部分を同時に軸方向に動かすことにより、隣接した独立ボリュート間のバイパス路を開閉できる電動送風機。
【請求項１３】
電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な複数の可動部分と、可動部分を連結する接合部と、可動部分を通常、どちらか一方に当接するよう可動部に設けた付勢バネと、可動部を磁力によって動かすため、ファンケースに設置された電磁石とを有し、複数の可動部を同時に電磁石によって動かす事により、隣接した独立ボリュート間のバイパス路を同時に開閉できる電動送風機。
【請求項１４】
被掃除面の塵埃を吸引するための吸込具と、前記吸込具を連通接続するための接続口と、前記接続口と連通すると共に塵埃を捕集する集塵室と、請求項１〜１３のいずれか１項記載の電動送風機を備えた電気掃除機。
【発明の詳細な説明】
【０００１】
【発明の属する技術分野】
本発明は、電動送風機並びにそれを用いた電気掃除機に関するものである。
【０００２】
【従来の技術】
最初に、一般家庭で使用される従来の電気掃除機について、図２６を用いて説明する。
【０００３】
図において、２０１は電気掃除機本体で、塵埃を捕集する集塵室２０２と、塵埃を吸引するための電動送風機２０３が内蔵されている。２０４は電気掃除機本体２０１の前部に設けられ前記集塵室２０２に連通すると共に、ホース２０５の一端が接続される接続口である。２０７は、被掃除面から空気と共に塵埃を吸引するための吸込具で、前記ホース２０５の他端に延長管２０６を介して接続されている。
【０００４】
次に、前記電動送風機２０３について図２７を用いて説明する。
【０００５】
図に示されるように、複数のブレード４を有したインペラが電動機の３回転軸に固着されている。インペラ６の周囲には複数の静翼を有したエアガイド８が配置されている。そして、インペラ、エアガイドは吸気口を有したファンケース１０に内包されている。
【０００６】
【発明が解決しようとする課題】
上記従来の電動送風機においては、その効率を良くするため、インペラ外周とエアガイド静翼の径方向の距離はできるだけ小さく設計されている。このため、圧力脈動に起因する風切り音が大きくなる。最近の掃除機は、入力を自由に制御できるようになっているため、特に低入力で運転する場合は、電動送風機自身の気流騒音が小さくなるため、この風切り音が特に目立ってくる。このように、低入力時での風切り音の低減が掃除機に使われる電動送風機として大きな課題になっている。
【０００７】
本発明は、上記課題を解決し、低騒音の電動送風機並びに電気掃除機を提供することを目的とするものである。
【０００８】
【課題を解決するための手段】
上記目的を達成するために本発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、必要に応じてファンケースを軸方向に動かし、ファンケースとエアガイド静翼の間に軸方向の空隙をつくり、圧力脈動を緩和することにより、風切り音の低減ができる。
【０００９】
【発明の実施の形態】
本発明の請求項１記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成とすることにより、必要に応じてファンケースを軸方向に動かし、ファンケースとエアガイド静翼の間に軸方向の空隙をつくり、圧力脈動を緩和することにより、風切り音の低減ができる。
【００１０】
本発明の請求項２記載の発明は、ファンケースと静翼端面との間に弾性体を介在させたことにより、ファンケースとエアガイド静翼の間の隙間を、小さな押しつけ力により無くすことができ、ファンケースを繰り返し動かしてもこの隙間が広がることはなく、静翼間の独立ボリュート部の独立性を常に保ち、高効率な電動送風機が実現できる。
【００１１】
本発明の請求項３記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成を有し、通常、ファンケースと静翼端面が離れているように付勢バネを設けることにより、通常は風切り音を小さくし、必要に応じて、ファンケースを軸方向に押しつけることにより、高効率な運転が可能になり、静音、高効率の切り替えが容易な電動送風機を実現できる。
【００１２】
本発明の請求項４記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、ファンケースと静翼端面の距離を可変できる構成とすることにより、インペラ入り口とファンケース吸気口の隙間を変えることなくファンケースとエアガイド静翼の軸方向の隙間をつくることができ、効率の低下を最小限にして風切り音の低減ができる。
【００１３】
本発明の請求項５記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、通常、可動部とエアガイド端面が離れているように、可動部に付勢バネを設ける事により、インペラ入り口とファンケース吸気口の隙間を変えることなく、エアガイド静翼とファンケースの間の隙間を変えることができる。又、通常は隙間が空いた状態で、可動部を押しつけることにより、ファンケースと、エアガイド静翼の隙間を無くし高効率運転が可能になるため、隙間の調整が簡単に行え、効率の低下を最小限に抑え、かつ、簡単に、騒音優先、効率優先の運転状態の切り替えが行える。
【００１４】
本発明の請求項６記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に設けた軸方向に可動な可動部と、可動部をどちらか一方に当接するよう可動部に設けた付勢バネと、可動部を磁力によって動かすため、ファンケースに設置された電磁石とを有し、可動部を電磁石によって動かす事により、ファンケース可動部と静翼端面の距離を可変できる構成とすることにより、インペラ入り口とファンケース吸気口の隙間を変えることなく、エアガイド静翼とファンケースの間の隙間を変えることができる。又、可動部を完全に密閉状態でファンケースに内包できるため、可動部、ファンケース間の隙間からの騒音、気流の漏れが無く、低騒音で、高効率な運転が実現できる。又、電磁石で可動部を駆動できるため、掃除機本体に組み込んだときの制御が簡単に行える。
【００１５】
本発明の請求項７記載の発明は電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を軸方向に動かすことにより、隣接した独立ボリュート間のバイパス路を開閉できるようにすることにより、ファンケースの一部に可動部を設けるといった簡単な構造で、エアガイドの独立したボリュート間のバイバス路を構成でき、このバイパス路を開けることにより、圧力の脈動を緩和し、風切り音が低減される。
【００１６】
本発明の請求項８記載の発明は電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を通常はエアガイドと離れているように、取り付けた付勢バネを有し、この可動部分を軸方向に動かすことにより、隣接した独立ボリュート間のバイパス路を開閉できるようにすることにより、通常は、バイパス路を解放し、風切り音の低い状態で運転し、可動部を軸方向に押さえることにより、ボリュートが独立し、高効率な運転が可能になる。このように簡単な構成で、しかも可動部を動かし易い構成が実現でき、低騒音運転と、高効率運転を簡単に切り替えることができる。
【００１７】
本発明の請求項９記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った可動部分と、ファンケースに固着し、可動部を被い一部が可動部に接合した可撓性のキャップとを有し、この可撓性キャップを動かすことにより可動部を軸方向に動かし、隣接した独立ボリュート間のバイパス路を開閉できるようにすることにより、可動部分のシール性を良くし、騒音の漏れ空気の漏れを無くし、しかも、キャップの弾性を利用し可動部を一方向に付勢する事ができるため、簡単で、可動部を動かし易い構成で、低騒音運転と、高効率運転の切り替えができる。
【００１８】
本発明の請求項１０記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な可動部分と、可動部分を通常、どちらか一方に当接するよう可動部に設けた付勢バネと、可動部を磁力によって動かすため、ファンケースに設置された電磁石とを有し、可動部を電磁石によって動かす事により、隣接した独立ボリュート間のバイパス路を開閉できるようにすることにより、複数の可動部を独立して制御することが容易になり、低騒音運転と、高効率運転を最適に制御することが可能になる。
【００１９】
本発明の請求項１１記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、これら可動部分を連結する接合部とを有し、複数の可動部分を同時に軸方向に動かすことにより、隣接した独立ボリュート間のバイパス路を開閉できるようにすることにより、複数の可動部を同時に動かすことができるため、可動部の駆動構成が簡単になり、容易に低騒音運転と、高効率運転の切り替えができるようになる。
【００２０】
本発明の請求項１２記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、この可動部分を連結する接合部とを有し、これら複数の可動部分が同時に、通常はエアガイドと離れているように、可動部分に取り付けた付勢バネを有し、複数の可動部分を同時に軸方向に動かすことにより、隣接した独立ボリュート間のバイパス路を開閉できるようにすることにより、少ないバネで複数の可動部に予圧を加えることができ、しかも同時に可動部を駆動できるため、容易で、かつ簡単に低騒音運転と、高効率運転の切り替えができる。
【００２１】
本発明の請求項１３記載の発明は、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な複数の可動部分と、可動部分を連結する接合部と、可動部分を通常、どちらか一方に当接するよう可動部に設けた付勢バネと、可動部を磁力によって動かすため、ファンケースに設置された電磁石とを有し、複数の可動部を同時に電磁石によって動かす事により、隣接した独立ボリュート間のバイパス路を同時に開閉できるようにすることにより、少数のバネと、少数の電磁石で複数の可動部に予圧を加え、駆動することができるため、簡単な構成で、制御性の良い方法で、低騒音運転と、高効率運転の切り替えができる。
【００２２】
本発明の請求項１４記載の発明は、被掃除面の塵埃を吸引するための吸込具と、前記吸込具を連通接続するための接続口と、前記接続口と連通すると共に塵埃を捕集する集塵室と、請求項１〜１３のいずれか１項記載の電動送風機を備えて電気掃除機としたもので、大きな騒音源の一つである電動送風機そのものの騒音低下により、全体的に低騒音の電気掃除機を提供することが可能になるものである。
【００２３】
【実施例】
（実施例１）
本発明の第１の実施例を図１、２を用いて説明する。なお、従来例と同一部分については、同一符号を付してその説明を省略する。
【００２４】
図は家庭用の電気掃除機などに使用されている電動送風機を示しており、１はその電動送風機であり、送風機２と、電動機３から構成されている。送風機２は電動機３の回転軸５に固着された、複数のブレード４を有したインペラ６と、その周りに配置された、複数の静翼７を有したエアガイド８と、これらインペラ６とエアガイド８を内包し、中央に吸気口９を有したファンケース１０によって構成されている。エアガイド８はインペラ６から排出された気流を導き、できるだけ小さな損失で圧力回復を行うものである。
【００２５】
両側を静翼７で、上面をファンケース１０で囲まれた複数の拡大通路すなわち独立ボリュート部１１は損失を小さくするためにできるだけ、互いの独立性を高める必要があり、そのため、ファンケース１０と静翼上端面１２は密着している。電動機３は前記の回転軸５を軸受け１３，１４でブラケット１５，１６に支持されている。１７は巻き線を施した回転子、１８はやはり巻き線を施した固定子を示している。１９はブラシであり、すなわち、交流整流子型の電動機３を構成している。
【００２６】
エアガイド８は基板２０の上面に静翼７が固着され、外周部に構成された、連通路２２を通って基板２０の下面に設けられた戻り通路２４につながっている。２３は電動機３のブラケットに設けられた通気孔であり、戻り通路２４を通って風は電動機３内部へ導かれ、排気口２５から排出される。
【００２７】
ファンケースは内周２６が、電動機３のブラケット１５の外周に摺動可能に勘合している。２７はファンケース１０の動きを規制する係止リングであり、ブラケット外周下端２８に当たることによってファンケース１０の動きを規制している。すなわち、ファンケースは、電動機側へはファンケース１０の内周がエアガイド８静翼上端１２に当接するまで、反電動機側へは、系止リング２７がブラケットに当接するまで摺動可能である。
【００２８】
ファンケース１０をエアガイド静翼７に当接した状態で電動機３を駆動すると、インペラ６の遠心力によって吸気口９から風が吸い込まれ外周から吐出される。先に述べたようにこの気流エアガイド８、ディフューザ部を通り、連通路、戻り通路を経て、電動機３内部を通り排気口から排出される。できるだけ損失を小さくするため、インペラ６の外周と静翼先端の隙間３２は小さく設計されている。このためディフューザへ導かれる気流は、ブレードを境に大きな圧力の変動を生じる。そして独立ボリュート部は独立性が良いため、この圧力変動はそのまま、風切り音として伝搬する。すなわち、インペラ６の一秒当たりに回転数と、ブレード枚数の積が周波数となる圧力脈動を生じ、風切り音となる。電動送風機の騒音はその他にも高速の気流が原因の比較的広範囲な周波数を持った騒音が生じる。
【００２９】
この気流音は電動送風機の回転数を小さくすれば、すなわち低入力（低出力）運転をすれば、急激に小さくなる。しかし、前述した風切り音は、気流音ほどは小さくならず、結果として、低回転数で運転した場合逆に風切り音が目立つことになる。図２（ｂ）にファンケースを反電動機側に動かした状態を示す。すなわち、ファンケースと静翼の間に隙間３３ができ、独立ボリュート部の独立性が無くなり、前述した、インペラ６が回転したときに生じる圧力脈動は緩和され、風切り音が急激に小さくなる。
【００３０】
ただし、反面エアガイド８での損失は大きくなり、又吸気口９での環流も増えるため効率は悪くなる。しかし、掃除機に組み込んだ時を考えると、電動送風機を高効率に設計したとき、掃除機を低騒音で運転したいため入力を小さくし、回転数を落としたとき、前述したように風切り音が目立つことになる。このとき、ファンケース１０を反電動機側に動かし、独立ボリュート部１１の独立性をなくしてやれば、風切り音は小さくでき、しかも低出力運転をしているときであるため、多少効率が悪くなっても大きな問題になることは無い。
【００３１】
このように、ファンケース１０を軸方向に可動とすることにより、独立ボリュート部１１の独立性を変化させることができ、効率重視の状態と、風切り音の小さい低騒音運転状態に切り替えることが可能となり、気流音が大きく風切り音のあまり目立たない高入力（高出力）時はファンケース１０を静翼７に密着させ効率重視の運転を行い、低入力（低出力）で低騒音が期待される、気流音の小さい運転状態ではファンケース１０を静翼７から離し、圧力脈動を緩和し風切り音の小さな運転をすればより快適な運転が可能になる。
【００３２】
（実施例２）
本発明の第２の実施例を図３を用いて説明する。なお上記実施例と同一部分については、同一符号を付してその説明を省略する。
【００３３】
上記第１の実施例との差異は、ファンケース１０の内周にゴム質の薄いリング３１を貼り付け、静翼７との間に弾性体を介在させたことである。このようにすることにより、静翼上端１２とファンケース１０の密着性が向上し、ファンケース１０を動かしたときでも、信頼性の高い高効率運転状態の再現ができる。薄いリング３１はゴム質だけでなく、可撓性を有した樹脂などでも可能である。
【００３４】
（実施例３）
本発明の第３の実施例を図４、図５を用いて説明する。なお上記実施例と同一部分については、同一符号を付してその説明を省略する。
【００３５】
４１は巻き線型のバネであり、一端がブラケット１５に、他端がファンケース１０に固定されている。本実施例ではこのようなバネが周囲４カ所に配置されている。通常の状態は図に示すような状態であり、ファンケース１０を反電動機側に動かした状態に付勢している。すなわち、バネの予圧によりファンケース１０と静翼７は隙間３３を有した状態で保持されている。この状態は低騒音重視の状態であるが、効率重視の運転状態すなわち、ファンケース１０を静翼７に当接させた状態にするには、掃除機等に組み込んだ状態でファンケース１０を電動機側に少し押さえつけてやれば良い。掃除機などに組み込まれた状態で複雑な機構無しにファンケース１０を動かすことが可能になり、騒音重視、効率重視と運転状態の切り替えが簡単に行える。
【００３６】
（実施例４）
本発明の第４の実施例を図６，７を用いて説明する。なお上記実施例と同一部分については、同一符号を付してその説明を省略する。
【００３７】
４５はリング状の可動部であり、両側に側壁５３、５４を有している。内側ファンケース４６と外側ファンケース４７の間の溝５６が構成され、この溝に可動部４５が、摺動可能に勘合している。内側ファンケース４６と外側ファンケース４７はファンケースカバー４９で連結接合されている。すなわち、ファンケースカバー４９の外周側にもうけられた鍔５０は外側ファンケース４７に固着され、内周側５８は内側ファンケース４６に固着されている。ファンケースカバー４９の上面には切り欠き孔５１が４カ所設けられており、可動部４５の内側側壁の一部に設けられたレバー５２がこの切り欠き孔５１に挿入され外部に突出している。
【００３８】
可動部４５は底面５５がエアガイド８に当接した状態から、側壁上端がファンケースカバー４９内面に当接するまで、軸方向に摺動が可能である。図７（ｂ）に可動部４５がエアガイド８上端に当接した状態を、図７（ａ）に可動部４５の側壁上端がファンケースカバー４９の内周に当接した状態を示している。
【００３９】
図７（ｂ）のように可動部４５がエアガイド８に当接した状態では、エアガイド８の複数の独立ボリュート部１１が独立しており損失の少ない、圧力回復性能に優れた構成が得られる。図７（ａ）のように可動部４５の側壁上端がファンケースカバー４９の内周に当接した状態では、エアガイド静翼上端１２に隙間４８が構成され、独立ボリュート部１１間の気流の流れが生じる。すなわち、インペラ６が回転し、ブレードが静翼７を通過する際発生する圧力の脈動が緩和され、風きり音が低減される。
【００４０】
可動部４５を動かし、エアガイド静翼７で構成される独立ボリュート部１１通路の上面を開閉するには、電動送風機を掃除機などの本体に組み込み、可動部のレバーを手動で動かせるように本体側の切り替えレバー（図示せず）と接合すればよい。
【００４１】
以上のような構成で、独立ボリュート部１１の開閉が行え、効率重視運転と、低騒音運転の切り替えが可能となり、しかも、インペラ６入り口６Ａとファンケース吸気口９の位置関係は変わることなく、入り口６Ａ部の還流防止のシールも充分に行え高効率な運転ができる。
【００４２】
可動部底面に可撓性、弾性体を貼り付けておけば、エアガイド静翼上端１２との密着性は更に改善される。
【００４３】
（実施例５）
本発明の第５の実施例を図８，図９を用いて説明する。なお上記実施例と同一部分については、同一符号を付してその説明を省略する。
【００４４】
６１は可動部のレバー５２に固着されたバネ押さえを示し、本実施例では、レバー５２と同じく、４カ所に設けられている。６２は圧縮コイルバネであり、各バネ押さえ６１とファンケースカバー４９の間に挟着されている。すなわち、圧縮コイルバネ６２はバネ押さえ６１とファンケースカバー４９の間に予圧を与え、可動部４５底面がエアガイド静翼上端１２から離れた状態を保持している。
【００４５】
可動部４５は実施例４と同様外周、内周側に側壁５３，５４を設けた一枚の円板で構成されている。又外側ファンケース４７は内周が電動機３のブラケットの外周に圧入固着され固定されている。通常は、コイルバネ６２の作用でエアガイド静翼７から、可動部４５は離れた位置に保持されるため、各々独立ボリュート部１１はその上面で開放され、連通している。
【００４６】
すなわち、インペラ６が回転しブレード４が独立ボリュート部１１を通過する際に発生する圧力脈動は緩和され、低騒音状態での運転を可能にしている。この電動送風機を掃除機などの本体に組み込んだとき、可動部４５を動かし、底面をエアガイド静翼上端１２に当接させ、独立ボリュート部１１の独立性を良くし、効率重視の運転状態にするには、バネ押さえ６１の上端面を軽く押さえつけるだけでよく、電動送風機１の本体への支持構成を考えると、可動部４５を動かし低騒音運転状態と、効率重視運転を切り替えるのは簡単に行える。又実施例４でも記述したように、ファンケース吸気口９とインペラ６入り口６Ａとの位置関係は変わることなく、効率の良い運転が可能になる。
【００４７】
（実施例６）
本発明の第６の実施例を図１０、図１１を用いて説明する。なお上記実施例と同一部分につぃては、同一符号を付してその説明を省略する。
【００４８】
７１はファンケースを示し、エアガイド静翼７と対峙する内周面にリング状の溝７２が構成されている。すなわちこの溝は、外側壁７３はファンケース７１の側壁で内側壁８１は一端がファンケース７１に固着され他端が静翼７に当接したリング状の側壁で構成されている。
【００４９】
７４はドーナツ状の円板形の可動部であり、鉄等の磁性体で作られており、前記溝７２に軸方向に摺動可能に嵌合されている。７５はファンケースのエアガイド静翼７と対峙した場所に４カ所設けられた中空円筒のバネ収容部であり、ファンケース７１と一体に形成されている。７６はバネ収容部７５に内包された圧縮コイルバネ７６であり、上端がバネ収容部７５上端内壁と当接し、他端が可動部７４上端面と当接している。
【００５０】
本実施例では、コイルバネ７６の圧接力により、可動部７４はエアガイド静翼上端１２に当接した状態で保持されている。７７は電磁石を示し、コの字型鉄心７９の中央部にコイル８０が巻かれており、端部がファンケース７１の可動部７４と対峙する位置に当接固着されている。本例では４つの電磁石７７が配置されている。７８は鉄心を固定する支持具である。
【００５１】
図１１（ｂ）はコイルバネ部７６の断面図、図１１（ａ）は電磁石部７７を示している。図１１（ｂ）は電磁石７７を駆動していない状態で、可動部７４が静翼端面１２に当接している。図１１（ａ）は電磁石７７を駆動した状態を示し、可動部７４が電磁石７７に吸引され、可動部７４がエアガイド静翼上端１２から離れ、独立ボリュート部１１が開放される。
【００５２】
電磁石７７を駆動することにより、可動部７４を動かすことができ、エアガイド独立ボリュート部１１の上端の開閉が行え、電磁石７７を駆動しない状態では独立ボリュート部１１の独立性が保たれ、効率重視の運転ができ、電磁石７７を駆動した場合は、独立ボリュート部１１が開放され、低騒音運転が可能になる。可動部７４は完全にファンケース７１内に内包されるため、ファンケース７１の接合部からの音の漏れ、空気の漏れなどは発生せず、より低騒音で、効率の良い運転ができる。又電磁石７７によって、開閉を制御できるため信頼性の高い制御が可能になり、独立ボリュート部１１の開閉の自動制御も容易になる。
【００５３】
（実施例７）
本発明の第７の実施例を図１２，１３を用いて説明する。なお上記実施例と同一部分については、同一符号を付してその説明を省略する。
【００５４】
８８は本例のファンケースであり、外周上端面のエアガイド静翼７と対向した部分に、静翼７の両側の独立ボリュート部１１に跨った独立ボリュート部連通孔８２が設けられている。本例では、静翼７の枚数と同一の１２カ所の連通孔８２が設けられている。
【００５５】
連通孔８２は図１３で示すように周囲に側壁８６を有した略矩形形状であり、両端に鍔部８７を有している。ファンケース８１は、連通孔８２を除く部分はエアガイド静翼上端１２と当接密着している。又、ファンケース８８の内周は、ブラケット外周に圧入固定されている。連通孔８２にはＬ字型の可動部８３が摺動可能に挿入されており、上方には可動部の突起８５が鍔部８７に当接するまで、下方には可動部下面がエアガイド静翼上端１２と当接するまで摺動可能である。
【００５６】
図１３（ａ）、（ｃ）は可動部８３下面がエアガイド静翼上端１２に当接している状態を示し、この状態では、エアガイド独立ボリュート部１１は独立性が保たれている。図１３（ｂ）は可動部８３が上方に移動した状態を示し、ガイド静翼７の上部に空間が構成され、隣合う独立ボリュート部１１のバイパス路８４が作られる。
【００５７】
独立ボリュート部１１に生じる圧力脈動は隣り合う独立ボリュート部１１では位相差を有し、独立ボリュート部１１間にバイパス路８４をつくると、圧力脈動が干渉しあい脈動の大きさが低減される。
【００５８】
可動部８３はそれぞれが独立して動かすことができるため、バイパス路８４を適切に選択することにより、効率と風きり音に関して状況に応じた設定が可能になる。又、ファンケース８８は一体で形成された形状の物に連通孔８２を設けるだけで作ることができ、簡単な構成が実現できる。ファンケース吸気口９とインペラ６の位置関係も同じ状態を保てるため、シール性も良好である。
【００５９】
以上の様に、簡単な構成で、低騒音運転、効率重視運転の切り替えができ、しかも、状況に応じて最適なバイパス通路を選択でき、実用上効果の大きな方式が実現できる。又、可動部を動かす距離を制御すれば、バイパス通路８４の断面積も制御できる。
【００６０】
（実施例８）
本発明の第８の実施例を図１４，１５を用いて説明する。
【００６１】
９２はＬ字型をした可動部であり、実施例７の場合とほぼ同様な形状をしているが、Ｌ字の向きが外側になっている。その他の構成は実施例７と同様である。
【００６２】
９３は圧縮コイルバネを示しており、ファンケース７１と、可動部Ｌ字型鍔部９６の間に挟持されている。このコイルバネの作用によって、通常は図１４、図１５（ｂ）で示すように可動部９２は上方に移動した状態、独立ボリュート部１１にバイパス路９４が作られた状態で保持されている。可動部９２を下方に動かせば、図１５（ａ）、（ｃ）のように可動部９２の下端が静翼上端１２に当接しバイパス路９４が閉じられる。バイパス路９４が解放されれば騒音重視、閉じれば効率重視の運転が可能になる。可動部９２を動かすには、電動送風機１を本体に組み込んだ状態で可動部９２上端を軽く押さえれば良く、又押さえる距離を制御すれば、バイパス路９４の大きさ（断面積）を制御することも可能である。又各々の可動部９２が独立しているため、独立して、バイパスの開閉、バイパス路の大きさを設定できるため状況に応じたバイパス路９４設定が可能になり、効率、風きり音を最適に選択することができる。
【００６３】
（実施例９）
本発明の第９の実施例を図１６，１７を用いて説明する。なお上記実施例と同一部分については、同一符号を付してその説明を省略する。
【００６４】
１００はファンケースであり、外周上端面のエアガイド静翼７と対向した部分に、静翼７の両側の独立ボリュート部１１間に跨った独立ボリュート部連通孔１０１が設けられている。本例では、静翼７の枚数と同一の１２カ所の連通孔１０１が設けられている。連通孔は周囲に側壁１０８を有した略矩形形状をしており、可動部１０２が摺動可能に挿入されている。
【００６５】
可動部１０２は連通孔と同一形状をしており、可動部と側壁の隙間は小さく設計されているため可動部がエアガイド静翼上端１２に当接した場合は独立ボリュート部１１はほぼ独立した状態が作られる。可動部１０２には円筒軸１０５が固着されている。１０３はゴム製の可撓性のキャップであり、連通孔１０１を完全に隙間無く被っている。前記可動部円筒軸１０５の上端は、このキャップ１０３に固着されている。
【００６６】
図１７（ｂ）で示した状態が通常の可動部１０２の位置であり、キャップ１０３の弾性で可動部が支持され、可動部１０２と、エアガイド静翼上端１２は空間が空いた状態、すなわち、独立ボリュート部１１間のバイパス路１０９が開いた状態で保持される。図１７（ａ）は可動部１０２を下方に動かし、バイパス路１０９を閉じた状態を示す。
【００６７】
バイパス路を開ければ騒音重視、閉じれば効率重視の運転が可能になる。
【００６８】
エアガイド独立ボリュート部１１間のバイパス路１０９を開閉するには、電動送風機を掃除機などの本体に組み込んだ状態で、可撓性ゴムキャップ１０３を押さえるだけで静翼上端バイパス路１０９が閉じられ、押し圧を解除すれば、バイパス路１０９が開放される。このように、簡単な構成で、バイパス路１０９の開閉が可能になり、低騒音運転と効率重視運転の切り替えが可能になる。又、連通孔は可撓性キャップ１０３で完全に被われているため、音の漏れ、空気の漏れなどが発生せず、より低騒音で高効率な運転が可能になる。
【００６９】
（実施例１０）
本発明の第１０の実施例を図１８、１９を用いて説明する。なお上記実施例と同一部分については、同一符号を付してその説明を省略する。
【００７０】
１１１はファンケースであり、外周上端面のエアガイド静翼７と対向した部分に、静翼７の両側の独立ボリュート部１１間に跨った独立ボリュート部連通孔１１２が設けられている。
【００７１】
ファンケースのエアガイド静翼７と対向する部分は、この連通孔１１２の部分を除いて、静翼上端に密着当接している。又、ファンケース１１１の内周はブラケット１５外周に圧入固着されている。本例では、静翼７の枚数と同一の１２カ所の連通室が設けられている。連通孔１１２は図で示すように周囲に側壁１１９を有した略矩形形状であり、中央部に円筒形のコイルバネ収容室１２０が構成されている。１１３は磁性体でできた可動部であり、連通孔１１２とほぼ同一の断面形状を有しており、連通孔１１２に上下方向に摺動可能に挿入されている。１１４はバネ取付軸であり、コイルバネ１１５が挿入されている。可動部１１３は、上方向には連通孔１１２の上部壁１２１に当接するまで、下方にはエアガイド静翼上端面１２に当接するまで動くことが可能である。１１６は電磁石であり、各連通室の上部に取り付けられている。電磁石は１１６コの字型の鉄心１１７と周りに巻かれたコイル１１８により構成されている。鉄心１１７はちょうど円筒形のコイルバネ収納室１２０の外側に取り付けられ、端面がファンケース１１１上端面に当接固定されている。
【００７２】
コイルバネ１１５は、コイルバネ収容室１２０に内包され、一端がファンケース１１１側に、他端が可動部１１３側に当接し挟持されている。通常は図１９（ａ）で示すようにコイルバネ１１５の作用で、可動部１１３が静翼上端部１２に当接する状態で保持され、バイパス通路１２２が閉じられ独立ボリュート部１１は独立性が保たれている。
【００７３】
図１９（ｂ）は電磁石１１６を駆動した状態を示し、可動部が吸引され、静翼７上端部と可動部１１３が離れバイパス路１２２が開かれる。バイパス路１２２を開ければ騒音重視、閉じれば効率重視の運転が可能になる。
【００７４】
電磁石１１６を駆動することによりエアガイド独立ボリュート部１１間のバイパス路１２２の開閉が、それぞれ、独立して行え、又可動部１１３を完全にファンケース１１１で被うことができるため、摺動部等に隙間が無く、音、空気の漏れは発生せずより騒音の低い、効率の高い運転が可能になる。又、状況に応じて、個々のバイパス路を別個に開閉する事ができ、最適な設定が可能であり、自動制御も容易である。
【００７５】
（実施例１１）
本発明の第１１の実施例を図２０，２１を用いて説明する。なお上記実施例と同一部分につぃては、同一符号を付してその説明を省略する。
【００７６】
１２４はファンケースであり、実施例７のファンケースとほぼ同じ構成を有している。１２５は可動部であり、ファンケース１２４の連通孔１２７に挿入されている。
【００７７】
そして各々の可動部は円板状接合部１２６で連結されている。この構成で有れば、１２個の可動部１２５を同時に動かすことが可能になり、１２カ所のバイパス路を同時に開閉できる。すなわち、可動部を上方に、動かすことにより、静翼７の上端１２から可動部１２５の下端面が離れ、静翼７で仕切られた独立ボリュート部１１の間のバイパス路１２９が開かれる。可動部１２５を下方に動かし、可動部１２５下端面を静翼７上端面１２に当接させればバイパス路１２９は閉じられる。バイパス路１２９を開ければ騒音重視、閉じれば効率重視の運転が可能になる。
【００７８】
このように簡単なファンケース１２４構成により、すべてのバイパス路１２９の開閉が簡単にかつ同時に行え、実用的な方法で低騒音運転、効率重視運転の切り替えが容易に行える。
【００７９】
（実施例１２）
本発明の第１２の実施例を図２２，２３を用いて説明する。なお上記実施例と同一部分については、同一符号を付してその説明を省略する。
【００８０】
基本的な部分は実施例１１と同様である。各々の可動部１２５は接合部１２６で連結されている。１３１はコイルバネであり、可動部１２５の上端外周方向に設置した４カ所の鍔部１３２とファンケース１２４の間に挟持されている。このコイルバネ１３１の作用により、エアガイド静翼７上端１２と可動部１２５が離れた状態で保持され、電動送風機１を掃除機などの本体に組み込んだときに、接合部１２６を押しつければ、可動部１２５が静翼上端１２に当接し全てのバイパス路１２９を同時に閉じることができる。押しつけている力を解除すれば、バイパス路１２９を開放でき、簡単な構成で、バイパス路１２９を同時に開閉する事により、低騒音運転、効率重視運転の切り替えが行える。
【００８１】
（実施例１３）
本発明の第１３の実施例を図２４，２５を用いて説明する。なお上記実施例と同一部分につぃては、同一符号を付してその説明を省略する。
【００８２】
基本構成は実施例１２と同様である。それぞれの可動部１２５は接合部１２６で連結されており、４カ所にはコイルバネ１３１が可動部１２５、ファンケース１２４間に挟持され可動部１２５を静翼７上端１２から離れた状態で保持している。１４１は電磁石であり、コイルを有した固定子１４５と摺動可能な可動子１４３により構成されている。通電することにより可動子１４３が軸方向に駆動される。電流の向きを変えれば可動子１４３の動く方向は逆転する。本例では、可動子１４３が可動部１２５の鍔部１４２に、固定子１４５がファンケース１２４に固定されている。そして、この電磁石１４１を駆動することにより、可動部１２５を上下に動かし、静翼７上端１２と可動部１２５下端面の間のバイパス路１２９の開閉が行え、低騒音運転と、効率重視運転の切り替えが可能になる。この方法では、バイパス路１２９の開閉が確実に行え、自動制御機構も簡単に実現できる。
【００８３】
【発明の効果】
本発明の請求項１記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成とすることにより、必要に応じてファンケースを軸方向に動かし、ファンケースとエアガイド静翼の間に軸方向の空隙をつくり、圧力脈動を緩和することにより、風切り音の低減ができる。
【００８４】
本発明の請求項２記載の発明によれば、ファンケースと静翼端面との間に弾性体を介在させたことにより、ファンケースとエアガイド静翼の間の隙間を、小さな押しつけ力により無くすことができ、ファンケースを繰り返し動かしてもこの隙間が広がることはなく、静翼間の独立ボリュート部の独立性を常に保ち、高効率な電動送風機が実現できる。
【００８５】
本発明の請求項３記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースを軸方向に可動とすることにより、ファンケースと静翼端面の距離を可変できる構成を有し、通常、ファンケースと静翼端面が離れているように付勢バネを設けたことにより、通常は風切り音を小さくし、必要に応じて、ファンケースを軸方向に押しつけることにより、高効率な運転が可能になり、静音、高効率の切り替えが容易な電動送風機を実現できる。
【００８６】
本発明の請求項４記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、ファンケースと静翼端面の距離を可変できる構成としたことにより、インペラ入り口とファンケース吸気口の隙間を変えることなくファンケースとエアガイド静翼の軸方向の隙間をつくることができ、効率の低下を最小限にして風切り音の低減ができる。
【００８７】
本発明の請求項５記載の発明によれば、電動機の回転軸に固着された、複数のブレ静翼を固着してなるエアガイドと、これらインペラとエアガイドを内包し中央に吸気口を有したファンケースとにより構成され、ファンケースのエアガイド静翼端面と対峙する部分全周に軸方向に可動な可動部を設け、通常、可動部とエアガイド端面が離れているように、可動部に付勢バネを設けた事により、インペラ入り口とファンケース吸気口の隙間を変えることなく、エアガイド静翼とファンケースの間の隙間を変えることができる。又、通常は隙間が空いた状態で、可動部を押しつけることにより、ファンケースと、エアガイド静翼の隙間を無くし高効率運転が可能になるため、隙間の調整が簡単に行え、効率の低下を最小限に抑え、かつ、簡単に、騒音優先、効率優先の運転状態の切り替えが行える。
【００８８】
本発明の請求項６記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙する部分全周に設けた軸方向に可動な可動部と、可動部をどちらか一方に当接するよう可動部に設けた付勢バネと、可動部を磁力によって動かすため、ファンケースに設置された電磁石とを有し、可動部を電磁石によって動かす事により、ファンケース可動部と静翼端面の距離を可変できるようにすることにより、インペラ入り口とファンケース吸気口の隙間を変えることなく、エアガイド静翼とファンケースの間の隙間を変えることができる。又、可動部を完全に密閉状態でファンケースに内包できるため、可動部、ファンケース間の隙間からの騒音、気流の漏れが無く、低騒音で、高効率な運転が実現できる。又、電磁石で可動部を駆動できるため、掃除機本体に組み込んだときの制御が簡単に行える。
【００８９】
本発明の請求項７記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を軸方向に動かすことにより、隣接した独立ボリュート間のバイパス路を開閉できるようにすることにより、ファンケースの一部に可動部を設けるといった簡単な構造で、エアガイドの独立したボリュート間のバイバス路を構成でき、このバイパス路を開けることにより、圧力の脈動を緩和し、風切り音が低減される。
【００９０】
本発明の請求項８記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に、隣接したボリュート部に跨った可動部分を有し、この可動部分を通常はエアガイドと離れているように、取り付けた付勢バネを有し、この可動部分を軸方向に動かすことにより、隣接した独立ボリュート間のバイパス路を開閉できるようにすることにより、通常は、バイパス路を解放し、風切り音の低い状態で運転し、可動部を軸方向に押さえることにより、ボリュートが独立し、高効率な運転が可能になる。このように簡単な構成で、しかも可動部を動かし易い構成が実現でき、低騒音運転と、高効率運転を簡単に切り替えることができる。
【００９１】
本発明の請求項９記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った可動部分と、ファンケースに固着し、可動部を被い一部が可動部に接合した可撓性のキャップとを有し、この可撓性キャップを動かすことにより可動部を軸方向に動かし、隣接した独立ボリュート間のバイパス路を開閉できるようにすることにより、可動部分のシール性を良くし、騒音の漏れ空気の漏れを無くし、しかも、キャップの弾性を利用し可動部を一方向に付勢する事ができるため、簡単で、可動部を動かし易い構成で、低騒音運転と、高効率運転の切り替えができる。
【００９２】
本発明の請求項１０記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な可動部分と、可動部分を通常、どちらか一方に当接するよう可動部に設けた付勢バネと、可動部を磁力によって動かすため、ファンケースに設置された電磁石とを有し、可動部を電磁石によって動かす事により、隣接した独立ボリュート間のバイパス路を開閉できるようにすることにより、複数の可動部を独立して制御することが容易になり、低騒音運転と、高効率運転を最適に制御することが可能になる。
【００９３】
本発明の請求項１１記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、これら可動部分を連結する接合部とを有し、複数の可動部分を同時に軸方向に動かすことにより、隣接した独立ボリュート間のバイパス路を開閉できるようにすることにより、複数の可動部を同時に動かすことができるため、可動部の駆動構成が簡単になり、容易に低騒音運転と、高効率運転の切り替えができるようになる。
【００９４】
本発明の請求項１２記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースとエアガイド端面を当接することにより複数の独立した通路を構成し、ファンケースのエアガイド静翼と対峙当接した部分に設けた、隣接したボリュート部に跨った複数の可動部分と、この可動部分を連結する接合部とを有し、これら複数の可動部分が同時に、通常はエアガイドと離れているように、可動部分に取り付けた付勢バネを有し、複数の可動部分を同時に軸方向に動かすことにより、隣接した独立ボリュート間のバイパス路を開閉できるようにすることにより、少ないバネで複数の可動部に予圧を加えることができ、しかも同時に可動部を駆動できるため、容易で、かつ簡単に低騒音運転と、高効率運転の切り替えができる。
【００９５】
本発明の請求項１３記載の発明によれば、電動機の回転軸に固着された、複数のブレードを有した遠心型インペラと、インペラの周囲に位置し、基板上に複数の静翼を固着してなるエアガイドと、これらインペラとエアガイドを内包し中央に吸気口を有したファンケースとにより構成され、ファンケースのエアガイド静翼端面と対峙当接した部分に設けた、隣接したボリュート部に跨った軸方向に可動な複数の可動部分と、可動部分を連結する接合部と、可動部分を通常、どちらか一方に当接するよう可動部に設けた付勢バネと、可動部を磁力によって動かすため、ファンケースに設置された電磁石とを有し、複数の可動部を同時に電磁石によって動かす事により、隣接した独立ボリュート間のバイパス路を同時に開閉できるようにすることにより、少数のバネと、少数の電磁石で複数の可動部に予圧を加え、駆動することができるため、簡単な構成で、制御性の良い方法で、低騒音運転と、高効率運転の切り替えができる。
【００９６】
本発明の請求項１４記載の発明によれば、被掃除面の塵埃を吸引するための吸込具と、前記吸込具を連通接続するための接続口と、前記接続口と連通すると共に塵埃を捕集する集塵室と、請求項１〜１３のいずれか１項記載の電動送風機を備えて電気掃除機としたもので、大きな騒音源の一つである電動送風機そのものの騒音低下により、全体的に低騒音の電気掃除機を提供することが可能になるものである。
【図面の簡単な説明】
【図１】（ａ）本発明の第１の実施例を示す電動送風機のエアガイド、インペラ部を示す平面断面図
（ｂ）同電動送風機の正面断面図
【図２】（ａ）同電動送風機のファンケースが通常の位置を示す電動送風機の断面図
（ｂ）同ファンケース移動した位置を示す電動送風機の断面図
【図３】本発明の第２の実施例を示す電動送風機のファンケース部拡大断面図
【図４】（ａ）本発明の第３の実施例を示す電動送風機の平面図
（ｂ）同電動送風機の断面図
【図５】同電動送風機のファンケース部拡大断面図
【図６】（ａ）本発明の第４の実施例を示す電動送風機の平面図
（ｂ）同電動送風機の断面図
【図７】（ａ）同電動送風機の可動部の通常の位置を示す断面図
（ｂ）可動部が移動した位置を示す電動送風機の断面図
【図８】（ａ）本発明の第５の実施例を示す電動送風機の平面図
（ｂ）同電動送風機の断面図
【図９】同電動送風機のファンケース部拡大断面図
【図１０】（ａ）本発明の第６の実施例を示す電動送風機の平面図
（ｂ）同電動送風機の断面図
【図１１】（ａ）同電動送風機の可動部が通常の位置を示す断面図
（ｂ）同可動部が移動した位置を示す電動送風機の断面図
【図１２】（ａ）本発明の第７の実施例を示す電動送風機の平面図
（ｂ）同電動送風機の断面図
【図１３】（ａ）同電動送風機の可動部が通常の位置を示す断面図
（ｂ）同可動部が移動した位置を示す電動送風機の断面図
（ｃ）同可動部側面断面図
【図１４】（ａ）本発明の第８の実施例を示す電動送風機の平面図
（ｂ）同電動送風機の断面図
【図１５】（ａ）同電動送風機の可動部が通常の位置を示す電動送風機の断面図
（ｂ）同可動部が移動した位置を示す電動送風機の断面図
（ｃ）同可動部側面断面図
【図１６】（ａ）本発明の第９の実施例を示す電動送風機の平面図
（ｂ）同電動送風機の断面図
【図１７】（ａ）同電動送風機の可動部が通常の位置を示す電動送風機の断面図
（ｂ）同可動部が移動した位置を示す電動送風機の断面図
【図１８】（ａ）本発明の第１０の実施例を示す電動送風機の平面図
（ｂ）同電動送風機の断面図
【図１９】（ａ）同電動送風機の可動部が通常の位置を示す電動送風機の断面図
（ｂ）同可動部が移動した位置を示す電動送風機の断面図
【図２０】（ａ）本発明の第１１の実施例を示す電動送風機の平面図
（ｂ）同電動送風機の断面図
【図２１】（ａ）同電動送風機の可動部が通常の位置を示す電動送風機の断面図
（ｂ）同可動部が移動した位置を示す電動送風機の断面図
（ｃ）同可動部側面断面図
【図２２】（ａ）本発明の第１２の実施例を示す電動送風機の平面図
（ｂ）同電動送風機の断面図
【図２３】（ａ）同電動送風機の可動部が通常の位置を示す電動送風機の断面図
（ｂ）同可動部が移動した位置を示す電動送風機の断面図
（ｃ）同可動部側面断面図
【図２４】（ａ）本発明の第１３の実施例を示す電動送風機の平面図
（ｂ）同電動送風機の断面図
【図２５】（ａ）同電動送風機の可動部が通常の位置を示す電動送風機の断面図
（ｂ）同可動部が移動した位置を示す電動送風機の断面図
【図２６】従来の電気掃除機を示す全体斜視図
【図２７】（ａ）従来の例を示す電動送風機の平面図
（ｂ）同電動送風機の断面図
【符号の説明】
１      電動送風機
３      電動機
４      ブレード
６      インペラ
５      回転軸
７      静翼
８      エアガイド
１０    ファンケース
１１    独立ボリュート部
１２    静翼端面
２０    基板
３１    弾性体
４１    バネ
４５    可動部
６２    バネ
７１    ファンケース
７４    可動部
７６    バネ
７７    電磁石
８３    可動部
８４    バイパス路
８８    ファンケース
９２    可動部
９３    バネ
９４    バイパス路
１００  ファンケース
１０２  可動部
１０３  キャップ
１０９  バイパス路
１１１  ファンケース
１１３  可動部
１１５  バネ
１１６  電磁石
１２２  バイパス路
１２４  ファンケース
１２５  可動部
１２６  接合部
１２９  バイパス部
１３１  バネ
１４１  電磁石
【図１】
0003747698.tif 000002
【図２】
0003747698.tif 000003
【図３】
0003747698.tif 000004
【図４】
0003747698.tif 000005
【図５】
0003747698.tif 000006
【図６】
0003747698.tif 000007
【図７】
0003747698.tif 000008
【図８】
0003747698.tif 000009
【図９】
0003747698.tif 000010
【図１０】
0003747698.tif 000011
【図１１】
0003747698.tif 000012
【図１２】
0003747698.tif 000013
【図１３】
0003747698.tif 000014
【図１４】
0003747698.tif 000015
【図１５】
0003747698.tif 000016
【図１６】
0003747698.tif 000017
【図１７】
0003747698.tif 000018
【図１８】
0003747698.tif 000019
【図１９】
0003747698.tif 000020
【図２０】
0003747698.tif 000021
【図２１】
0003747698.tif 000022
【図２２】
0003747698.tif 000023
【図２３】
0003747698.tif 000024
【図２４】
0003747698.tif 000025
【図２５】
0003747698.tif 000026
【図２６】
0003747698.tif 000027
【図２７】
0003747698.tif 000028